(57)【要約】【課題】コンテンツ再生中の視聴者の様子を手軽に、かつ、適切な再生シーンで撮影することができる映像コンテンツ再生装置を提供する。【解決手段】再生中の映像コンテンツの音量が大きく変化、音の高さが大きく変化、映像の明るさが大きく変化、映像の色味が大きく変化すると、再生中の映像コンテンツを視聴しているユーザの様子が撮像部４２で撮像され、ＨＤＤ２０に記録される。【選択図】      図１
2006074622.tif 000002
【特許請求の範囲】
【請求項１】
受信した映像コンテンツ又は記憶媒体に記録された映像コンテンツを再生する映像コンテンツ再生装置において、
視聴者を撮像する撮像手段と、
再生中の映像コンテンツの音量の検出する検出手段と、
前記検出手段で検出された音量が規定時間内に規定値以上変化すると、前記撮像手段で撮像された画像を所定の記憶媒体に記録する記録制御手段と、
を備えたことを特徴とする映像コンテンツ再生装置。
【請求項２】
受信した映像コンテンツ又は記憶媒体に記録された映像コンテンツを再生する映像コンテンツ再生装置において、
視聴者を撮像する撮像手段と、
再生する所定時間前の映像コンテンツの音量の検出する検出手段と、
前記検出手段で検出された音量が規定時間内に規定値以上変化すると、前記撮像手段で撮像された画像を所定の記憶媒体に記録する記録制御手段と、
を備えたことを特徴とする映像コンテンツ再生装置。
【請求項３】
受信した映像コンテンツ又は記憶媒体に記録された映像コンテンツを再生する映像コンテンツ再生装置において、
視聴者を撮像する撮像手段と、
再生中の映像コンテンツの音の高さを検出する検出手段と、
前記検出手段で検出された音の高さが規定時間内に規定値以上変化すると、前記撮像手段で撮像された画像を所定の記憶媒体に記録する記録制御手段と、
を備えたことを特徴とする映像コンテンツ再生装置。
【請求項４】
受信した映像コンテンツ又は記憶媒体に記録された映像コンテンツを再生する映像コンテンツ再生装置において、
視聴者を撮像する撮像手段と、
再生する所定時間前の映像コンテンツの音の高さを検出する検出手段と、
前記検出手段で検出された音の高さが規定時間内に規定値以上変化すると、前記撮像手段で撮像された画像を所定の記憶媒体に記録する記録制御手段と、
を備えたことを特徴とする映像コンテンツ再生装置。
【請求項５】
受信した映像コンテンツ又は記憶媒体に記録された映像コンテンツを再生する映像コンテンツ再生装置において、
視聴者を撮像する撮像手段と、
再生中の映像コンテンツの明るさを検出する検出手段と、
前記検出手段で検出された明るさが規定時間内に規定値以上変化すると、前記撮像手段で撮像された画像を所定の記憶媒体に記録する記録制御手段と、
を備えたことを特徴とする映像コンテンツ再生装置。
【請求項６】
受信した映像コンテンツ又は記憶媒体に記録された映像コンテンツを再生する映像コンテンツ再生装置において、
視聴者を撮像する撮像手段と、
再生する所定時間前の映像コンテンツの明るさを検出する検出手段と、
前記検出手段で検出された明るさが規定時間内に規定値以上変化すると、前記撮像手段で撮像された画像を所定の記憶媒体に記録する記録制御手段と、
を備えたことを特徴とする映像コンテンツ再生装置。
【請求項７】
受信した映像コンテンツ又は記憶媒体に記録された映像コンテンツを再生する映像コンテンツ再生装置において、
視聴者を撮像する撮像手段と、
再生中の映像コンテンツの色味を検出する検出手段と、
前記検出手段で検出された色味が規定時間内に規定値以上変化すると、前記撮像手段で撮像された画像を所定の記憶媒体に記録する記録制御手段と、
を備えたことを特徴とする映像コンテンツ再生装置。
【請求項８】
受信した映像コンテンツ又は記憶媒体に記録された映像コンテンツを再生する映像コンテンツ再生装置において、
視聴者を撮像する撮像手段と、
再生する所定時間前の映像コンテンツの色味を検出する検出手段と、
前記検出手段で検出された色味が規定時間内に規定値以上変化すると、前記撮像手段で撮像された画像を所定の記憶媒体に記録する記録制御手段と、
を備えたことを特徴とする映像コンテンツ再生装置。
【請求項９】
受信した映像コンテンツ又は記憶媒体に記録された映像コンテンツを再生する映像コンテンツ再生装置において、
視聴者を撮像する撮像手段と、
再生中の映像コンテンツに付加された記録マークを読み取る読取手段と、
前記読取手段で記録マークが読み取られると、前記撮像手段で撮像された画像を所定の記憶媒体に記録する記録制御手段と、
を備えたことを特徴とする映像コンテンツ再生装置。
【請求項１０】
受信した映像コンテンツ又は記憶媒体に記録された映像コンテンツを再生する映像コンテンツ再生装置において、
視聴者を撮像する撮像手段と、
再生する所定時間前の映像コンテンツに付加された記録マークを読み取る読取手段と、
前記読取手段で記録マークが読み取られると、前記撮像手段で撮像された画像を所定の記憶媒体に記録する記録制御手段と、
を備えたことを特徴とする映像コンテンツ再生装置。
【請求項１１】
映像コンテンツの再生中に記録マークの付加を指示する指示手段と、
前記記憶媒体に記録された映像コンテンツに対して前記指示手段で指示された位置に記録マークを付加する記録マーク付加手段と、
を備えたことを特徴とする請求項９又は１０に記載の映像コンテンツ再生装置。
【請求項１２】
前記所定の記憶媒体に記録された画像の情報と、その画像が撮像された映像コンテンツの再生位置の情報とを記録した画像管理リストを生成する画像管理リスト生成手段と、
前記画像管理リスト生成手段で生成された画像管理リストを所定の記憶媒体に記録する画像管理リスト記憶制御手段と、
前記所定の記憶媒体に記録された画像を、その画像が撮像された映像コンテンツの再生位置で映像コンテンツと共に表示されるように、前記画像管理リストに基づいて再生を制御する再生制御手段と、
を備えたことを特徴とする請求項１、２、３、４、５、６、７、８、９、１０又は１１に記載の映像コンテンツ再生装置。
【発明の詳細な説明】
【技術分野】
【０００１】
本発明は、映像コンテンツ再生装置に係り、特にテレビ放送受信機、ハードディスクレコーダ、ＤＶＤレコーダ、ＤＶＤプレーヤ等の受信した映像コンテンツあるいは記憶媒体に記録された映像コンテンツを再生するための映像コンテンツ再生装置に関する。
【背景技術】
【０００２】
映像コンテンツの再生に際して効果的な演出を行う装置として、特許文献１の演出機器制御装置がある。この演出機器制御装置は、一般家庭内にある機器を利用して、映像コンテンツの再生シーンに応じた演出を行うというものであり、たとえば、ＤＶＤコンテンツの再生中、風の強く吹いているシーンでエアコンの送風をＯＮにしたり、恐怖を呼び起こすシーンで照明機器をＯＦＦすることで、映像コンテンツの再生を効果的に演出しようとするものである。
【０００３】
ところで、映像コンテンツには、さまざまなジャンルのものがあり、その映像コンテンツを見ている時の視聴者の様子を見ることができれば、映像コンテンツの再生後も話題に事欠かなくなり、娯楽性を更に向上させることができるものとなる。
【特許文献１】特開２０００−１５６０７５号公報
【発明の開示】
【発明が解決しようとする課題】
【０００４】
しかしながら、従来、映像コンテンツを見ている視聴者の様子を記録しようとした場合、別途カメラを用意し、そのカメラで映像コンテンツの再生中の視聴者の様子を常に記録していなければならなかった。
【０００５】
本発明は、このような事情に鑑みてなされたもので、コンテンツ再生中の視聴者の様子を手軽に、かつ、適切な再生シーンで撮影することができる映像コンテンツ再生装置を提供することを目的とする。
【課題を解決するための手段】
【０００６】
請求項１に係る発明は、前記目的を達成するために、受信した映像コンテンツ又は記憶媒体に記録された映像コンテンツを再生する映像コンテンツ再生装置において、視聴者を撮像する撮像手段と、再生中の映像コンテンツの音量の検出する検出手段と、前記検出手段で検出された音量が規定時間内に規定値以上変化すると、前記撮像手段で撮像された画像を所定の記憶媒体に記録する記録制御手段と、を備えたことを特徴とする映像コンテンツ再生装置を提供する。
【０００７】
本発明によれば、再生中の映像コンテンツの音量が、規定時間内に規定値以上変化すると、撮像手段で撮像された視聴者の画像が所定の記憶媒体に記録される。
【０００８】
また、請求項２に係る発明は、前記目的を達成するために、受信した映像コンテンツ又は記憶媒体に記録された映像コンテンツを再生する映像コンテンツ再生装置において、視聴者を撮像する撮像手段と、再生する所定時間前の映像コンテンツの音量の検出する検出手段と、前記検出手段で検出された音量が規定時間内に規定値以上変化すると、前記撮像手段で撮像された画像を所定の記憶媒体に記録する記録制御手段と、を備えたことを特徴とする映像コンテンツ再生装置を提供する。
【０００９】
本発明によれば、再生する所定時間前の映像コンテンツの音量が、規定時間内に規定値以上変化すると、撮像手段で撮像された視聴者の画像が所定の記憶媒体に記録される。すなわち、映像コンテンツを先読みし、再生中の映像コンテンツの音量が所定時間後に規定値以上変化することが判明すると、撮像手段で撮像された視聴者の画像が所定の記憶媒体に記録される。
【００１０】
また、請求項３に係る発明は、前記目的を達成するために、受信した映像コンテンツ又は記憶媒体に記録された映像コンテンツを再生する映像コンテンツ再生装置において、視聴者を撮像する撮像手段と、再生中の映像コンテンツの音の高さを検出する検出手段と、前記検出手段で検出された音の高さが規定時間内に規定値以上変化すると、前記撮像手段で撮像された画像を所定の記憶媒体に記録する記録制御手段と、を備えたことを特徴とする映像コンテンツ再生装置を提供する。
【００１１】
本発明によれば、再生中の映像コンテンツの音の高さが、規定時間内に規定値以上変化すると、撮像手段で撮像された視聴者の画像が所定の記憶媒体に記録される。
【００１２】
また、請求項４に係る発明は、前記目的を達成するために、受信した映像コンテンツ又は記憶媒体に記録された映像コンテンツを再生する映像コンテンツ再生装置において、視聴者を撮像する撮像手段と、再生する所定時間前の映像コンテンツの音の高さを検出する検出手段と、前記検出手段で検出された音の高さが規定時間内に規定値以上変化すると、前記撮像手段で撮像された画像を所定の記憶媒体に記録する記録制御手段と、を備えたことを特徴とする映像コンテンツ再生装置を提供する。
【００１３】
本発明によれば、再生する所定時間前の映像コンテンツの音の高さが、規定時間内に規定値以上変化すると、撮像手段で撮像された視聴者の画像が所定の記憶媒体に記録される。すなわち、映像コンテンツを先読みし、再生中の映像コンテンツの音の高さが、所定時間後に規定値以上変化することが判明すると、撮像手段で撮像された視聴者の画像が所定の記憶媒体に記録される。
【００１４】
また、請求項５に係る発明は、前記目的を達成するために、受信した映像コンテンツ又は記憶媒体に記録された映像コンテンツを再生する映像コンテンツ再生装置において、視聴者を撮像する撮像手段と、再生中の映像コンテンツの明るさを検出する検出手段と、前記検出手段で検出された明るさが規定時間内に規定値以上変化すると、前記撮像手段で撮像された画像を所定の記憶媒体に記録する記録制御手段と、を備えたことを特徴とする映像コンテンツ再生装置を提供する。
【００１５】
本発明によれば、再生中の映像コンテンツの明るさが、規定時間内に規定値以上変化すると、撮像手段で撮像された視聴者の画像が所定の記憶媒体に記録される。
【００１６】
請求項６に係る発明は、前記目的を達成するために、受信した映像コンテンツ又は記憶媒体に記録された映像コンテンツを再生する映像コンテンツ再生装置において、視聴者を撮像する撮像手段と、再生する所定時間前の映像コンテンツの明るさを検出する検出手段と、前記検出手段で検出された明るさが規定時間内に規定値以上変化すると、前記撮像手段で撮像された画像を所定の記憶媒体に記録する記録制御手段と、を備えたことを特徴とする映像コンテンツ再生装置を提供する。
【００１７】
本発明によれば、再生する所定時間前の映像コンテンツの明るさが、規定時間内に規定値以上変化すると、撮像手段で撮像された視聴者の画像が所定の記憶媒体に記録される。すなわち、映像コンテンツを先読みし、再生中の映像コンテンツの明るさが所定時間後に規定値以上変化することが判明すると、撮像手段で撮像された視聴者の画像が所定の記憶媒体に記録される。
【００１８】
また、請求項７に係る発明は、前記目的を達成するために、受信した映像コンテンツ又は記憶媒体に記録された映像コンテンツを再生する映像コンテンツ再生装置において、視聴者を撮像する撮像手段と、再生中の映像コンテンツの色味を検出する検出手段と、前記検出手段で検出された色味が規定時間内に規定値以上変化すると、前記撮像手段で撮像された画像を所定の記憶媒体に記録する記録制御手段と、を備えたことを特徴とする映像コンテンツ再生装置を提供する。
【００１９】
本発明によれば、再生中の映像コンテンツの色味が、規定時間内に規定値以上変化すると、撮像手段で撮像された視聴者の画像が所定の記憶媒体に記録される。
【００２０】
また、請求項８に係る発明は、前記目的を達成するために、受信した映像コンテンツ又は記憶媒体に記録された映像コンテンツを再生する映像コンテンツ再生装置において、視聴者を撮像する撮像手段と、再生する所定時間前の映像コンテンツの色味を検出する検出手段と、前記検出手段で検出された色味が規定時間内に規定値以上変化すると、前記撮像手段で撮像された画像を所定の記憶媒体に記録する記録制御手段と、を備えたことを特徴とする映像コンテンツ再生装置を提供する。
【００２１】
本発明によれば、再生する所定時間前の映像コンテンツの色味が、規定時間内に規定値以上変化すると、撮像手段で撮像された視聴者の画像が所定の記憶媒体に記録される。すなわち、映像コンテンツを先読みし、再生中の映像コンテンツの色味が所定時間後に規定値以上変化することが判明すると、撮像手段で撮像された視聴者の画像が所定の記憶媒体に記録される。
【００２２】
また、請求項９に係る発明は、前記目的を達成するために、受信した映像コンテンツ又は記憶媒体に記録された映像コンテンツを再生する映像コンテンツ再生装置において、視聴者を撮像する撮像手段と、再生中の映像コンテンツに付加された記録マークを読み取る読取手段と、前記読取手段で記録マークが読み取られると、前記撮像手段で撮像された画像を所定の記憶媒体に記録する記録制御手段と、を備えたことを特徴とする映像コンテンツ再生装置を提供する。
【００２３】
本発明によれば、再生中の映像コンテンツに付加された記録マークが読取手段で読み取られると、撮像手段で撮像された視聴者の画像が所定の記憶媒体に記録される。
【００２４】
また、請求項１０に係る発明は、前記目的を達成するために、受信した映像コンテンツ又は記憶媒体に記録された映像コンテンツを再生する映像コンテンツ再生装置において、視聴者を撮像する撮像手段と、再生する所定時間前の映像コンテンツに付加された記録マークを読み取る読取手段と、前記読取手段で記録マークが読み取られると、前記撮像手段で撮像された画像を所定の記憶媒体に記録する記録制御手段と、を備えたことを特徴とする映像コンテンツ再生装置を提供する。
【００２５】
本発明によれば、再生する所定時間前の映像コンテンツに付加された記録マークが読取手段で読み取られると、撮像手段で撮像された視聴者の画像が所定の記憶媒体に記録される。すなわち、映像コンテンツを先読みし、所定時間後に再生中の映像コンテンツから記録マークが読み取られることが判明すると、撮像手段で撮像された視聴者の画像が所定の記憶媒体に記録される。
【００２６】
また、請求項１１に係る発明は、前記目的を達成するために、映像コンテンツの再生中に記録マークの付加を指示する指示手段と、前記記憶媒体に記録された映像コンテンツに対して前記指示手段で指示された位置に記録マークを付加する記録マーク付加手段と、を備えたことを特徴とする請求項９又は１０に記載の映像コンテンツ再生装置を提供する。
【００２７】
本発明によれば、再生中の映像コンテンツに対して指示手段から記録マークの付加が指示されると、その指示された位置に記録マークが付加される。
【００２８】
また、請求項１２に係る発明は、前記目的を達成するために、前記所定の記憶媒体に記録された画像の情報と、その画像が撮像された映像コンテンツの再生位置の情報とを記録した画像管理リストを生成する画像管理リスト生成手段と、前記画像管理リスト生成手段で生成された画像管理リストを所定の記憶媒体に記録する画像管理リスト記憶制御手段と、前記所定の記憶媒体に記録された画像を、その画像が撮像された映像コンテンツの再生位置で映像コンテンツと共に表示されるように、前記画像管理リストに基づいて再生を制御する再生制御手段と、を備えたことを特徴とする請求項１、２、３、４、５、６、７、８、９、１０又は１１に記載の映像コンテンツ再生装置を提供する。
【００２９】
本発明によれば、撮像手段で撮像された画像が記録されると、その画像の情報と、その画像が撮像された映像コンテンツの再生位置の情報とを記録した画像管理リストが生成される。映像コンテンツの再生時には、その画像管理リストに基づき再生が制御され、所定の記憶媒体に記録された画像が撮像された位置で画像が映像コンテンツと共に表示されるように再生が制御される。
【発明の効果】
【００３０】
本発明に係る映像コンテンツ再生装置によれば、コンテンツ再生中の視聴者の様子を手軽に、かつ、適切な再生シーンで撮影することができる。
【発明を実施するための最良の形態】
【００３１】
以下、添付図面に従って本発明に係る映像コンテンツ再生装置を実施するための最良の形態について説明する。
【００３２】
図１は本発明が適用されたＤＶＤ／ＨＤＤレコーダの電気的構成を示すブロック図である。
【００３３】
本実施の形態のＤＶＤ／ＨＤＤレコーダ１０は、再生中の映像コンテンツを視聴しているユーザ（視聴者）を撮影する機能を備えたものであり、図１に示すように、主としてＭＰＵ（メインプロセッサユニット）１２、操作部１４、リモコンインターフェイス１６、リモコン１８、ＨＤＤ２０、ＤＶＤドライブ２２、エンコード部２４、外部入力部２６、チューナ部２８、デコード部３０、映像出力部３２、音声出力部３４、音声出力解析部３６、映像出力解析部３８、記録マーク解析部４０及び撮像部４２で構成されている。
【００３４】
ＭＰＵ１２は、ＤＶＤ／ＨＤＤレコーダ全体の動作を統括制御する制御部として機能し、その制御プログラムが格納されたＲＯＭ、プログラム実行に必要なワークエリアを提供するＲＡＭ、ユーザ設定情報等を記憶するＥＥＰＲＯＭ、タイマ等を備えている。ＭＰＵ１２は、操作部１４又はリモコンインターフェイス１６を介して入力されるリモコン１８からの操作要求データを受け、ＤＶＤ／ＨＤＤレコーダ１０の各部を制御する。
【００３５】
ＤＶＤドライブ２２は、読み書き可能なＤＶＤ（ＤＶＤ±Ｒ、ＤＶＤ±ＲＷ、ＤＶＤ−ＲＡＭ等）４４への記録データの書き込み、及び、読み書き可能あるいは再生専用のＤＶＤ（ＤＶＤ−ＲＯＭ、ＤＶＤ±Ｒ、ＤＶＤ±ＲＷ、ＤＶＤ−ＲＡＭ等）４４からの記録データの読み出しを行う。
【００３６】
エンコード部２４は、外部入力部２６若しくはチューナ部２８から入力されるアナログのＡ／Ｖ（オーディオ／ビデオ）信号をデジタルのＡ／Ｖ信号に変換するＡ／Ｄコンバータと、そのＡ／ＤコンバータでＡ／Ｄ変換されたデジタルのＡ／Ｖ信号をエンコードするＡ／Ｖエンコード部と、Ａ／Ｖエンコード部でエンコードされたＡ／Ｖ信号を所定規格の記録データに変換するフォーマッタ部とを備えている。
【００３７】
デコード部３０は、ＨＤＤ２０又はＤＶＤから読み出された記録データからオーディオデータ部分とビデオデータ部分を分離するセパレータ部と、そのセパレータ部で分離されたオーディオデータ部分とビデオデータ部分をデコードするＡＶデコード部とを備えている。
【００３８】
映像出力部３２は、デコード部３０でデコードされたビデオデータをモニタ出力用の信号形式に変換して、モニタ及び映像出力解析部３８に出力する。また、映像出力部３２は、ＭＰＵ１２の制御の下、モニタに出力する映像の合成処理を行う。
【００３９】
音声出力部３４は、デコード部３０でデコードされたオーディオデータをスピーカ出力用の信号形式に変換して、スピーカ及び音声出力解析部３６に出力する。
【００４０】
音声出力解析部３６は、ＭＰＵ１２による制御の下、音声出力部３４から出力される音声信号を解析し、規定時間内における規定値以上の音量の変化、及び、規定時間内における規定値以上の音の高さの変化を検出して、ＭＰＵ１２に出力する。
【００４１】
映像出力解析部３８は、ＭＰＵ１２による制御の下、映像出力部３２から出力される映像信号を解析し、規定時間内における規定値以上の映像の明るさの変化、及び、規定時間内における規定値以上の色味の変化を検出して、ＭＰＵ１２に出力する。
【００４２】
記録マーク解析部４０は、ＭＰＵ１２による制御の下、映像出力部３２から出力される映像信号を解析し、映像信号に含まれる記録マークを検出して、ＭＰＵ１２に出力する。
【００４３】
撮像部４２は、ＭＰＵ１２による制御の下、映像コンテンツを視聴しているユーザを撮像するもので、撮影レンズと、その撮影レンズを介して入射された被写体光を電気信号に変換する撮像素子と、撮像素子から得られた電気信号を処理してデジタルの画像データを生成する画像処理部とを備えている。
【００４４】
なお、撮影レンズは、本体の前面に設けられているものとし（図２参照）、撮影画角を調整できるように、ズームレンズで構成することが好ましい。また、撮影範囲を調整できるように、パン／チルト可能とすることが好ましい。
【００４５】
図２は、本実施の形態のＤＶＤ／ＨＤＤレコーダ１０の利用状況の一例を示す図である。同図に示すように、ＤＶＤ／ＨＤＤレコーダ１０は、モニタ５０に再生表示された映像コンテンツを視聴するユーザ５２を撮影可能な位置に設置される。
【００４６】
次に、本実施の形態のＤＶＤ／ＨＤＤレコーダ１０の作用について説明する。
【００４７】
上記のように、本実施の形態のＤＶＤ／ＨＤＤレコーダ１０は、再生中の映像コンテンツを視聴しているユーザ５２を撮影する機能を備えている。撮影は、（１）再生中の映像コンテンツの音量が大きく変化した時、（２）再生中の映像コンテンツの音の高さが大きく変化した時、（３）再生中の映像コンテンツの明るさが大きく変化した時、（４）再生中の映像コンテンツの色味が大きく変化した時、（５）再生中の映像コンテンツに付加されている記録マークが読み取られた時に行われる。
【００４８】
以下、各撮影パターンごとに分けてＤＶＤ／ＨＤＤレコーダ１０の撮影動作の手順を説明する。
【００４９】
まず、再生中の映像コンテンツの音量が大きく変化した時に撮影する場合の処理動作について説明する。
【００５０】
図３は、再生中の映像コンテンツの音量が大きく変化した時に撮影する場合のＤＶＤ／ＨＤＤレコーダ１０の処理動作を示すフローチャートである。
【００５１】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ１０）。
【００５２】
再生が開始されたと判定すると、次に、ユーザ撮影機能がＯＮにされているか否か判定する（ステップＳ１１）。すなわち、撮像部４２でユーザ５２を撮影する機能がＯＮにされているか否かを判定する。このユーザ撮影機能のＯＮ／ＯＦＦの設定は、操作部１４又はリモコン１８で行われる。
【００５３】
ユーザ撮影機能がＯＮにされていると判定すると、ＭＰＵ１２は音声出力解析部３６からの出力に基づいて、再生中の映像コンテンツの音量が規定時間内に規定値以上変化したか否か判定する（ステップＳ１２）。ここでは、２秒以内にＸ[dB]以上音量が変化したか否か判定するものとする。
【００５４】
２秒以内にＸ[dB]以上音量が変化したと判定すると、ＭＰＵ１２は、撮像部４２で撮像された画像（動画像）の記録処理を開始する（ステップＳ１３）。すなわち、撮像部４２から出力された映像信号をエンコード部２４に加えて記録データを生成し、ＨＤＤ２０の所定領域に記録する。
【００５５】
画像記録は、まず、１０秒間行われ（ステップＳ１４）、１０秒分の動画像のデータが記録されると、ＭＰＵ１２は、音声出力解析部３６からの出力に基づいて、再生中の映像コンテンツの音量が規定時間内に規定値以上変化したか否か判定する（ステップＳ１５）。ここでは、５秒以内にＸ[dB]以上音量が変化したか否か判定するものとする。
【００５６】
５秒以内にＸ[dB]以上音量が変化した場合、ＭＰＵ１２は、ステップＳ１３に戻り、連続して撮像画像の記録を行う（ステップＳ１３）。一方、５秒以内にＸ[dB]以上音量が変化していない場合、ＭＰＵ１２は記録処理を終了する（ステップＳ１６）。
【００５７】
この後、ＭＰＵ１２は、映像コンテンツの再生が終了したか否か判定し（ステップＳ１７）、再生が終了と判定すると、処理を終了する。一方、再生が終了していない場合は、ステップＳ１２に戻り、音量が規定時間内に規定値以上変化したか否か判定する。
【００５８】
このように、本撮影パターンでは、再生中の映像コンテンツの音量が大きく変化すると（規定時間内に規定値以上変化すると）、その時のユーザ５２の様子がＨＤＤ２０に記録される。
【００５９】
次に、再生中の映像コンテンツの音の高さが大きく変化した時に撮影する場合の処理動作について説明する。
【００６０】
図４は、再生中の映像コンテンツの音の高さが大きく変化した時に撮影する場合のＤＶＤ／ＨＤＤレコーダ１０の処理動作を示すフローチャートである。
【００６１】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ２０）。
【００６２】
再生が開始されたと判定すると、次に、ユーザ撮影機能がＯＮにされているか否か判定する（ステップＳ２１）。すなわち、撮像部４２でユーザ５２を撮影する機能がＯＮにされているか否かを判定する。
【００６３】
ユーザ撮影機能がＯＮにされていると判定すると、ＭＰＵ１２は音声出力解析部３６からの出力に基づいて、再生中の映像コンテンツの音の高さが規定時間内に規定値以上変化したか否か判定する（ステップＳ２２）。ここでは、２秒以内にＸ[Hz]以上音の高さが変化したか否か判定するものとする。
【００６４】
２秒以内にＸ[Hz]以上音の高さが変化したと判定すると、ＭＰＵ１２は、撮像部４２で撮像された画像（動画像）の記録処理を開始する（ステップＳ２３）。
【００６５】
画像記録は、まず、１０秒間行われ（ステップＳ２４）、１０秒分の動画像のデータが記録されると、ＭＰＵ１２は、音声出力解析部３６からの出力に基づいて、再生中の映像コンテンツの音の高さが規定時間内に規定値以上変化したか否か判定する（ステップＳ２５）。ここでは、５秒以内にＸ[Hz]以上音の高さが変化したか否か判定するものとする。
【００６６】
５秒以内にＸ[Hz]以上音の高さが変化した場合、ＭＰＵ１２は、ステップＳ２３に戻り、連続して撮像画像の記録を行う（ステップＳ２３）。一方、５秒以内にＸ[Hz]以上音の高さが変化していない場合、ＭＰＵ１２は記録処理を終了する（ステップＳ２６）。
【００６７】
この後、ＭＰＵ１２は、映像コンテンツの再生が終了したか否か判定し（ステップＳ２７）、再生が終了と判定すると、処理を終了する。一方、再生が終了していない場合は、ステップＳ２２に戻り、音の高さが規定時間内に規定値以上変化したか否か判定する。
【００６８】
このように、本撮影パターンでは、再生中の映像コンテンツの音の高さが大きく変化すると（規定時間内に規定値以上変化すると）、その時のユーザ５２の様子がＨＤＤ２０に記録される。
【００６９】
次に、再生中の映像コンテンツの映像の明るさが大きく変化した時に撮影する場合の処理動作について説明する。
【００７０】
図５は、再生中の映像コンテンツの映像の明るさが大きく変化した時に撮影する場合のＤＶＤ／ＨＤＤレコーダ１０の処理動作を示すフローチャートである。
【００７１】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ３０）。
【００７２】
再生が開始されたと判定すると、次に、ユーザ撮影機能がＯＮにされているか否か判定する（ステップＳ３１）。すなわち、撮像部４２でユーザ５２を撮影する機能がＯＮにされているか否かを判定する。
【００７３】
ユーザ撮影機能がＯＮにされていると判定すると、ＭＰＵ１２は映像出力解析部３８からの出力に基づいて、再生中の映像コンテンツの映像の明るさが規定時間内に規定値以上変化したか否か判定する（ステップＳ３２）。ここでは、２秒以内にＸ[IRE] 以上映像の明るさが変化したか否か判定するものとする。
【００７４】
２秒以内にＸ[IRE] 以上映像の明るさが変化したと判定すると、ＭＰＵ１２は、撮像部４２で撮像された画像（動画像）の記録処理を開始する（ステップＳ３３）。
【００７５】
画像記録は、まず、１０秒間行われ（ステップＳ３４）、１０秒分の動画像のデータが記録されると、ＭＰＵ１２は、映像出力解析部３８からの出力に基づいて、再生中の映像コンテンツの映像の明るさが規定時間内に規定値以上変化したか否か判定する（ステップＳ３５）。ここでは、５秒以内にＸ[IRE] 以上映像の明るさが変化したか否か判定するものとする。
【００７６】
５秒以内にＸ[IRE] 以上映像の明るさが変化した場合、ＭＰＵ１２は、ステップＳ３３に戻り、連続して撮像画像の記録を行う（ステップＳ３３）。一方、５秒以内にＸ[IRE] 以上映像の明るさが変化していない場合、ＭＰＵ１２は記録処理を終了する（ステップＳ３６）。
【００７７】
この後、ＭＰＵ１２は、映像コンテンツの再生が終了したか否か判定し（ステップＳ３７）、再生が終了と判定すると、処理を終了する。一方、再生が終了していない場合は、ステップＳ３２に戻り、映像の明るさが、規定時間内に規定値以上変化したか否か判定する。
【００７８】
このように、本撮影パターンでは、再生中の映像コンテンツの映像の明るさが大きく変化すると（規定時間内に規定値以上変化すると）、その時のユーザ５２の様子がＨＤＤ２０に記録される。
【００７９】
次に、再生中の映像コンテンツの映像の色味が大きく変化した時に撮影する場合の処理動作について説明する。
【００８０】
図６は、再生中の映像コンテンツの映像の色味が大きく変化した時に撮影する場合のＤＶＤ／ＨＤＤレコーダ１０の処理動作を示すフローチャートである。
【００８１】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ４０）。
【００８２】
再生が開始されたと判定すると、次に、ユーザ撮影機能がＯＮにされているか否か判定する（ステップＳ４１）。すなわち、撮像部４２でユーザ５２を撮影する機能がＯＮにされているか否かを判定する。
【００８３】
ユーザ撮影機能がＯＮにされていると判定すると、ＭＰＵ１２は映像出力解析部３８からの出力に基づいて、再生中の映像コンテンツの映像の色味が規定時間内に規定値以上変化したか否か判定する（ステップＳ４２）。ここでは、２秒以内にＸ[K] 以上映像の色味が変化したか否か判定するものとする。
【００８４】
２秒以内にＸ[K] 以上映像の色味が変化したと判定すると、ＭＰＵ１２は、撮像部４２で撮像された画像（動画像）の記録処理を開始する（ステップＳ４３）。
【００８５】
画像記録は、まず、１０秒間行われ（ステップＳ４４）、１０秒分の動画像のデータが記録されると、ＭＰＵ１２は、映像出力解析部３８からの出力に基づいて、再生中の映像コンテンツの映像の色味が規定時間内に規定値以上変化したか否か判定する（ステップＳ４５）。ここでは、５秒以内にＸ[K] 以上映像の色味が変化したか否か判定するものとする。
【００８６】
５秒以内にＸ[K] 以上映像の色味が変化した場合、ＭＰＵ１２は、ステップＳ４３に戻り、連続して撮像画像の記録を行う（ステップＳ４３）。一方、５秒以内にＸ[K] 以上映像の色味が変化していない場合、ＭＰＵ１２は記録処理を終了する（ステップＳ４６）。
【００８７】
この後、ＭＰＵ１２は、映像コンテンツの再生が終了したか否か判定し（ステップＳ４７）、再生が終了と判定すると、処理を終了する。一方、再生が終了していない場合は、ステップＳ４２に戻り、映像の色味が、規定時間内に規定値以上変化したか否か判定する。
【００８８】
このように、本撮影パターンでは、再生中の映像コンテンツの映像の色味が大きく変化すると（規定時間内に規定値以上変化すると）、その時のユーザ５２の様子がＨＤＤ２０に記録される。
【００８９】
次に、再生中の映像コンテンツに付加されている記録マークが読み取られた時に撮影する場合の処理動作について説明する。
【００９０】
図７は、再生中の映像コンテンツに付加されている記録マークが読み取られた時に撮影する場合のＤＶＤ／ＨＤＤレコーダ１０の処理動作を示すフローチャートである。
【００９１】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ５０）。
【００９２】
再生が開始されたと判定すると、次に、ユーザ撮影機能がＯＮにされているか否か判定する（ステップＳ５１）。すなわち、撮像部４２でユーザ５２を撮影する機能がＯＮにされているか否かを判定する。
【００９３】
ユーザ撮影機能がＯＮにされていると判定すると、ＭＰＵ１２は映像出力解析部３８からの出力に基づいて、再生出力中の映像信号から規定時間内に記録マークが読み取られたか否か判定する（ステップＳ５２）。ここでは、２秒以内に映像信号から記録マークが読み取られたか否か判定するものとする。
【００９４】
２秒以内に記録マークが読み取られたと判定すると、ＭＰＵ１２は、撮像部４２で撮像された画像（動画像）の記録処理を開始する（ステップＳ５３）。
【００９５】
画像記録は、まず、１０秒間行われ（ステップＳ５４）、１０秒分の動画像のデータが記録されると、ＭＰＵ１２は、映像出力解析部３８からの出力に基づいて、再生出力中の映像信号から規定時間内に記録マークが読み取られたか否か判定する（ステップＳ５５）。ここでは、５秒以内に記録マークが読み取られたか否か判定するものとする。
【００９６】
５秒以内に記録マークが読み取られた場合、ＭＰＵ１２は、ステップＳ５３に戻り、連続して撮像画像の記録を行う（ステップＳ５３）。一方、５秒以内に記録マークが読み取られなかった場合、ＭＰＵ１２は記録処理を終了する（ステップＳ５６）。
【００９７】
この後、ＭＰＵ１２は、映像コンテンツの再生が終了したか否か判定し（ステップＳ５７）、再生が終了と判定すると、処理を終了する。一方、再生が終了していない場合は、ステップＳ５２に戻り、規定時間内に映像信号から記録マークが読み取られたか否か判定する。
【００９８】
このように、本撮影パターンでは、再生出力中の映像信号に含まれる記録マークが読み取られると、その時のユーザ５２の様子がＨＤＤ２０に記録される。
【００９９】
なお、記録マークは、ユーザ５２が任意の位置に付加することができるものとする。以下、この記録マークの付加処理の手順について説明する。
【０１００】
図８は、記録マークの付加処理の手順を示すフローチャートである。記録マークは、映像コンテンツの再生中に操作部１４又はリモコン１８に設けられたマークボタンをユーザ５２が押すことにより、その押した位置に付加される。
【０１０１】
まず、ＭＰＵ１２は、ＤＶＤ４４又はＨＤＤ２０に記録されている映像コンテンツの再生、又は、外部入力部２６若しくはチューナ部２８から入力される映像コンテンツの再生が開始されたか否か判定する（ステップＳ６０）。
【０１０２】
再生開始と判定した場合、ＭＰＵ１２は、操作部１４又はリモコン１８からの入力に基づいて、マークボタンが押されたか否か、すなわち、記録マークの付加指示が出されたか否か判定する（ステップＳ６１）。
【０１０３】
マークボタンが押されて、記録マークの付加指示アリと判定すると、ＭＰＵ１２は、ＤＶＤ４４又はＨＤＤ２０に記録されている映像コンテンツに対して記録マークの付加処理を行う（ステップＳ６２）。このとき、ＭＰＵ１２は、マークボタンが押された時に再生されていた位置（場面）に記録マークを付加する。
【０１０４】
この後、ＭＰＵ１２は、映像コンテンツの再生が終了したか否か判定し（ステップＳ６３）、再生が終了と判定すると、処理を終了する。一方、再生が終了していない場合は、ステップＳ６１に戻り、記録マークの付加指示が出されたか否か判定する（ステップＳ６１）。
【０１０５】
このように、映像コンテンツの再生中にユーザ５２が、操作部１４又はリモコン１８に設けられたマークボタンをユーザ５２が押すことにより、その押した位置に記録マークが付加される。これにより、次回、その映像コンテンツを再生した際、指定した再生位置でユーザ５２の様子をＨＤＤ２０に記録することができる。
【０１０６】
以上のように、本実施の形態のＤＶＤ／ＨＤＤレコーダ１０によれば、撮影モードをＯＮすることにより、再生中の映像コンテンツの音量が大きく変化した時、音の高さが大きく変化した時、映像の明るさが大きく変化した時、映像の色味が大きく変化した時、記録マークが読み取られた時に自動でユーザの様子を撮影することができる。これにより、面倒な準備などを一切行うことなく、手軽に、かつ、適切なシーンでユーザの様子を撮影し、記録することができる。
【０１０７】
なお、上記実施の形態では、再生中の映像コンテンツの音量等をリアルタイムに検出し、それが大きく変化した時に自動でユーザの様子を撮影するようにしているが、再生する映像コンテンツを先読みし、映像コンテンツの音量等が大きく変化する前からユーザの様子を自動で撮影するようにしてもよい。
【０１０８】
以下、この映像コンテンツを先読みして、ユーザの様子を自動で撮影する場合の動作について説明する。
【０１０９】
まず、先読みした映像コンテンツの音の高さが大きく変化した時に撮影する場合の処理動作について説明する。
【０１１０】
図９は、再生中の映像コンテンツの音量が大きく変化した時に撮影する場合のＤＶＤ／ＨＤＤレコーダ１０の処理動作を示すフローチャートである。
【０１１１】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ７０）。
【０１１２】
再生が開始されたと判定すると、次に、ユーザ撮影機能がＯＮにされているか否か判定する（ステップＳ７１）。
【０１１３】
ユーザ撮影機能がＯＮにされていると判定すると、ＭＰＵ１２は、映像コンテンツの先読みを開始し（ステップＳ７２）、再生中の映像コンテンツの音の音量が所定時間後に規定値以上変化するか否か判定する（ステップＳ７３）。
【０１１４】
すなわち、ＭＰＵ１２は、モニタ５０に再生出力する所定時間前の映像コンテンツをあらかじめ取得し、その取得した映像コンテンツの音の音量が規定時間内に規定値以上変化したか否か判定して、再生中の映像コンテンツの音の音量が所定時間後に規定値以上変化するか否か判定する。
【０１１５】
ここでは、再生中の映像コンテンツの音の音量が２秒後にＸ[dBE] 以上変化するか否か判定するものとする。
【０１１６】
再生中の映像コンテンツの音の音量が２秒後にＸ[dB]以上変化したと判定すると、ＭＰＵ１２は、撮像部４２で撮像された画像（動画像）の記録処理を開始する（ステップＳ７４）。すなわち、撮像部４２から出力された映像信号をエンコード部２４に加えて記録データを生成し、ＨＤＤ２０の所定領域に記録する。
【０１１７】
画像記録は、まず、１０秒間行われ（ステップＳ７５）、１０秒分の動画像のデータが記録されると、ＭＰＵ１２は、音声出力解析部３６からの出力に基づいて、再生中の映像コンテンツの音量が規定時間内に規定値以上変化したか否か判定する（ステップＳ７６）。ここでは、５秒以内にＸ[dB]以上音量が変化したか否か判定するものとする。
【０１１８】
５秒以内にＸ[dB]以上音量が変化した場合、ＭＰＵ１２は、ステップＳ７４に戻り、連続して撮像画像の記録を行う（ステップＳ７４）。
【０１１９】
一方、５秒以内にＸ[dB]以上音量が変化していない場合、ＭＰＵ１２は記録処理を終了する（ステップＳ７７）。
【０１２０】
この後、ＭＰＵ１２は、映像コンテンツの再生が終了したか否か判定し（ステップＳ７８）、再生が終了と判定すると、処理を終了する。
【０１２１】
一方、再生が終了していない場合は、ステップＳ７３に戻り、先読みした映像コンテンツに基づき再生中の映像コンテンツの音の音量が２秒後にＸ[dB]以上変化したか否か判定する。
【０１２２】
このように、本撮影パターンでは、映像コンテンツを先読みし、再生中の映像コンテンツの音の音量が所定時間後に所定値以上変化すると判定されると、撮影データの記録が開始される。これにより、音の音量の急激な変化に基づくユーザ５２の様子の変化を逃すことなく確実に記録することができる。
【０１２３】
次に、先読みした映像コンテンツの音の高さが大きく変化した時に撮影する場合の処理動作について説明する。
【０１２４】
図１０は、先読みした映像コンテンツの音の高さが大きく変化した時に撮影する場合のＤＶＤ／ＨＤＤレコーダ１０の処理動作を示すフローチャートである。
【０１２５】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ８０）。
【０１２６】
再生が開始されたと判定すると、次に、ユーザ撮影機能がＯＮにされているか否か判定する（ステップＳ８１）。
【０１２７】
ユーザ撮影機能がＯＮにされていると判定すると、ＭＰＵ１２は、映像コンテンツの先読みを開始し（ステップＳ８２）、再生中の映像コンテンツの音の高さが所定時間後に規定値以上変化するか否か判定する（ステップＳ８３）。
【０１２８】
すなわち、ＭＰＵ１２は、モニタ５０に再生出力する所定時間前の映像コンテンツをあらかじめ取得し、その取得した映像コンテンツの映像の音の高さが規定時間内に規定値以上変化したか否か判定して、再生中の映像コンテンツの音の高さが所定時間後に規定値以上変化するか否か判定する。
【０１２９】
ここでは、再生中の映像コンテンツの音の高さが２秒後にＸ[Hz]以上変化するか否か判定するものとする。
【０１３０】
再生中の映像コンテンツの音の高さが２秒後にＸ[Hz]以上変化する判定すると、ＭＰＵ１２は、撮像部４２で撮像された画像（動画像）の記録処理を開始する（ステップＳ８４）。
【０１３１】
画像記録は、まず、１０秒間行われ（ステップＳ８５）、１０秒分の動画像のデータが記録されると、ＭＰＵ１２は、音声出力解析部３６からの出力に基づいて、再生中の映像コンテンツの音の高さが規定時間内に規定値以上変化したか否か判定する（ステップＳ８６）。ここでは、５秒以内にＸ[Hz]以上音の高さが変化したか否か判定するものとする。
【０１３２】
５秒以内にＸ[Hz]以上音の高さが変化した場合、ＭＰＵ１２は、ステップＳ８４に戻り、連続して撮像画像の記録を行う（ステップＳ８４）。
【０１３３】
一方、５秒以内にＸ[Hz]以上音の高さが変化していない場合、ＭＰＵ１２は記録処理を終了する（ステップＳ８７）。
【０１３４】
この後、ＭＰＵ１２は、映像コンテンツの再生が終了したか否か判定し（ステップＳ８８）、再生が終了と判定すると、処理を終了する。
【０１３５】
一方、再生が終了していない場合は、ステップＳ８３に戻り、先読みした映像コンテンツに基づき再生中の映像コンテンツの音の高さが２秒後にＸ[Hz]以上変化するか否か判定する。
【０１３６】
このように、本撮影パターンでは、映像コンテンツを先読みし、再生中の映像コンテンツの音の高さが所定時間後に所定値以上変化すると判定されると、撮影データの記録が開始される。これにより、音の高さの急激な変化に基づくユーザ５２の様子の変化を逃すことなく確実に記録することができる。
【０１３７】
次に、先読みした映像コンテンツの映像の明るさが大きく変化した時に撮影する場合の処理動作について説明する。
【０１３８】
図１１は、先読みした映像コンテンツの映像の明るさが大きく変化した時に撮影する場合のＤＶＤ／ＨＤＤレコーダ１０の処理動作を示すフローチャートである。
【０１３９】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ９０）。
【０１４０】
再生が開始されたと判定すると、次に、ユーザ撮影機能がＯＮにされているか否か判定する（ステップＳ９１）。
【０１４１】
ユーザ撮影機能がＯＮにされていると判定すると、ＭＰＵ１２は、映像コンテンツの先読みを開始し（ステップＳ９２）、再生中の映像コンテンツの映像の明るさが所定時間後に規定値以上変化するか否か判定する（ステップＳ９３）。
【０１４２】
すなわち、ＭＰＵ１２は、モニタ５０に再生出力する所定時間前の映像コンテンツをあらかじめ取得し、その取得した映像コンテンツの映像の明るさが規定時間内に規定値以上変化したか否か判定して、再生中の映像コンテンツの映像の明るさが所定時間後に規定値以上変化するか否か判定する。
【０１４３】
ここでは、再生中の映像コンテンツの映像の明るさが２秒後にＸ[IRE] 以上変化するか否か判定するものとする。
【０１４４】
再生中の映像コンテンツの映像の明るさが２秒後にＸ[IRE] 以上変化すると判定すると、ＭＰＵ１２は、撮像部４２で撮像された画像（動画像）の記録処理を開始する（ステップＳ９４）。
【０１４５】
画像記録は、まず、１０秒間行われ（ステップＳ９５）、１０秒分の動画像のデータが記録されると、ＭＰＵ１２は、映像出力解析部３８からの出力に基づいて、再生中の映像コンテンツの映像の明るさが規定時間内に規定値以上変化したか否か判定する（ステップＳ９６）。ここでは、５秒以内にＸ[IRE] 以上映像の明るさが変化したか否か判定するものとする。
【０１４６】
５秒以内にＸ[IRE] 以上映像の明るさが変化した場合、ＭＰＵ１２は、ステップＳ９４に戻り、連続して撮像画像の記録を行う（ステップＳ９４）。
【０１４７】
一方、５秒以内にＸ[IRE] 以上映像の明るさが変化していない場合、ＭＰＵ１２は記録処理を終了する（ステップＳ９７）。
【０１４８】
この後、ＭＰＵ１２は、映像コンテンツの再生が終了したか否か判定し（ステップＳ９８）、再生が終了と判定すると、処理を終了する。
【０１４９】
一方、再生が終了していない場合は、ステップＳ９３に戻り、先読みした映像コンテンツに基づいて再生中の映像コンテンツの映像の明るさが２秒後にＸ[IRE] 以上変化するか否か判定する。
【０１５０】
このように、本撮影パターンでは、映像コンテンツを先読みし、再生中の映像コンテンツの映像の明るさが所定時間後に規定値以上変化すると判定されると、撮影データの記録が開始される。これにより、映像の明るさの急激な変化に基づくユーザ５２の様子の変化を逃すことなく確実に記録することができる。
【０１５１】
次に、先読みした映像コンテンツの映像の色味が大きく変化した時に撮影する場合の処理動作について説明する。
【０１５２】
図１２は、先読みした映像コンテンツの映像の色味が大きく変化した時に撮影する場合のＤＶＤ／ＨＤＤレコーダ１０の処理動作を示すフローチャートである。
【０１５３】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ１００）。
【０１５４】
再生が開始されたと判定すると、次に、ユーザ撮影機能がＯＮにされているか否か判定する（ステップＳ１０１）。
【０１５５】
ユーザ撮影機能がＯＮにされていると判定すると、ＭＰＵ１２は、映像コンテンツの先読みを開始し（ステップＳ１０２）、再生中の映像コンテンツの映像の色味が所定時間後に規定値以上変化するか否か判定する（ステップＳ１０３）。
【０１５６】
すなわち、ＭＰＵ１２は、モニタ５０に再生出力する所定時間前の映像コンテンツをあらかじめ取得し、その取得した映像コンテンツの映像の色味が規定時間内に規定値以上変化したか否か判定して、再生中の映像コンテンツの映像の色味が所定時間後に規定値以上変化するか否か判定する。
【０１５７】
ここでは、再生中の映像コンテンツの映像の色味が、２秒後にＸ[K] 以上変化するか否か判定するものとする。
【０１５８】
再生中の映像コンテンツの映像の色味が２秒後にＸ[K] 以上変化したと判定すると、ＭＰＵ１２は、撮像部４２で撮像された画像（動画像）の記録処理を開始する（ステップＳ１０４）。
【０１５９】
画像記録は、まず、１０秒間行われ（ステップＳ１０５）、１０秒分の動画像のデータが記録されると、ＭＰＵ１２は、映像出力解析部３８からの出力に基づいて、再生中の映像コンテンツの映像の色味が規定時間内に規定値以上変化したか否か判定する（ステップＳ１０６）。ここでは、５秒以内にＸ[K] 以上映像の色味が変化したか否か判定するものとする。
【０１６０】
５秒以内にＸ[K] 以上映像の色味が変化した場合、ＭＰＵ１２は、ステップＳ１０４に戻り、連続して撮像画像の記録を行う（ステップＳ１０４）。
【０１６１】
一方、５秒以内にＸ[K] 以上映像の色味が変化していない場合、ＭＰＵ１２は記録処理を終了する（ステップＳ１０７）。
【０１６２】
この後、ＭＰＵ１２は、映像コンテンツの再生が終了したか否か判定し（ステップＳ１０８）、再生が終了と判定すると、処理を終了する。
【０１６３】
一方、再生が終了していない場合は、ステップＳ１０２に戻り、先読みした映像コンテンツに基づいて再生中の映像コンテンツの映像の色味が２秒後にＸ[K] 以上変化したか否か判定する。
【０１６４】
このように、本撮影パターンでは、映像コンテンツを先読みし、再生中の映像コンテンツの映像の色味が規定時間後に規定値以上変化すると判定されると、撮影データの記録が開始される。これにより、映像の色味の急激な変化に基づくユーザ５２の様子の変化を逃すことなく確実に記録することができる。
【０１６５】
次に、先読みした映像コンテンツに付加されている記録マークが読み取られた時に撮影する場合の処理動作について説明する。
【０１６６】
図１３は、再生中の映像コンテンツに付加されている記録マークが読み取られた時に撮影する場合のＤＶＤ／ＨＤＤレコーダ１０の処理動作を示すフローチャートである。
【０１６７】
まず、ＭＰＵ１２は、ＤＶＤ４４又はＨＤＤ２０に記録されている映像コンテンツの再生、又は外部入力部２６若しくはチューナ部２８から入力される映像コンテンツの再生が開始されたか否か判定する（ステップＳ１１０）。
【０１６８】
再生が開始されたと判定すると、次に、ユーザ撮影機能がＯＮにされているか否か判定する（ステップＳ１１１）。
【０１６９】
ユーザ撮影機能がＯＮにされていると判定すると、ＭＰＵ１２は、映像コンテンツの先読みを開始し（ステップＳ１１２）、所定時間後に再生中の映像コンテンツから記録マークが読み取られるか否か判定する（ステップＳ１１３）。
【０１７０】
すなわち、ＭＰＵ１２は、モニタ５０に再生出力する所定時間前の映像コンテンツをあらかじめ取得し、その取得した映像コンテンツから規定時間内に記録マークが読み取られたか否か判定して、再生中の映像コンテンツから記録マークが所定時間後に読み取られるか否か判定する。
【０１７１】
ここでは、２秒後に再生中の映像コンテンツから記録マークが読み取られるか否か判定するものとする。
【０１７２】
再生中の映像コンテンツから２秒後に記録マークが読み取られると判定すると、ＭＰＵ１２は、撮像部４２で撮像された画像（動画像）の記録処理を開始する（ステップＳ１１４）。
【０１７３】
画像記録は、まず、１０秒間行われ（ステップＳ１１５）、１０秒分の動画像のデータが記録されると、ＭＰＵ１２は、映像出力解析部３８からの出力に基づいて、再生出力中の映像信号から規定時間内に記録マークが読み取られたか否か判定する（ステップＳ１１６）。ここでは、５秒以内に記録マークが読み取られたか否か判定するものとする。
【０１７４】
５秒以内に記録マークが読み取られた場合、ＭＰＵ１２は、ステップＳ１１４に戻り、連続して撮像画像の記録を行う（ステップＳ１１４）。
【０１７５】
一方、５秒以内に記録マークが読み取られなかった場合、ＭＰＵ１２は記録処理を終了する（ステップＳ１１７）。
【０１７６】
この後、ＭＰＵ１２は、映像コンテンツの再生が終了したか否か判定し（ステップＳ１１８）、再生が終了と判定すると、処理を終了する。
【０１７７】
一方、再生が終了していない場合は、ステップＳ１１３に戻り、先読みした映像コンテンツに基づいて再生中の映像コンテンツから２秒後に記録マークが読み取られるか否か判定する。
【０１７８】
このように、本撮影パターンでは、映像コンテンツを先読みし、再生中の映像コンテンツから所定時間後に記録マークが読み取られると判定されると、撮影データの記録が開始される。これにより、記録マークを読み取った瞬間のユーザ５２の様子の変化を逃すことなく確実に記録することができる。
【０１７９】
以上説明したように、映像コンテンツを先読みし、映像コンテンツの音量等が大きく変化する前からユーザの様子を撮影するようにしてもよい。これにより、ユーザの様子の変化を確実に記録することができる。
【０１８０】
さて、上記のようにしてＨＤＤ２０に記録されたユーザ５２の画像は、ユーザ５２からの再生指令により、ＨＤＤ２０から読み出され、モニタ５０に出力することができる。このユーザ５２の撮影画像の再生指示は、操作部１４又はリモコン１８を介して行われ、指定された画像がモニタ５０に再生表示される。これにより、映像コンテンツの視聴後もユーザ５２の視聴中の様子を見て楽しむことができ、映像コンテンツの視聴時の娯楽性が更に向上する。
【０１８１】
なお、画像の再生方法としては、撮影した画像を単独でモニタ５０に全画面表示させる他、図１４に示すように、その画像が撮影された時に再生されていた映像コンテンツと共に表示させるようにしてもよい。以下、撮影時に再生されていた映像コンテンツと共に画像を再生する場合について説明する。
【０１８２】
撮影時に再生していた映像コンテンツと共に撮影画像を表示する場合、ＭＰＵ１２は、所定の画像管理リストに基づいて撮影画像と映像コンテンツの再生処理を行う。この画像管理リストは、図１５に示すように、映像コンテンツのタイトルと、再生位置（再生時間）と、そのとき撮影された画像のファイル名とが記録される。ＭＰＵ１２は、撮像部４２で撮像した画像をＨＤＤ２０に記録するたびに、この画像管理リストを更新し、ＥＥＰＲＯＭに記録する。
【０１８３】
図１６は、映像コンテンツと共に撮影画像を再生する場合の処理の手順を示すフローチャートである。
【０１８４】
まず、ＭＰＵ１２は、ＤＶＤ４４又はＨＤＤ２０に記録されている映像コンテンツの再生、又は、外部入力部２６若しくはチューナ部２８から入力される映像コンテンツの再生が開始されたか否か判定する（ステップＳ１２０）。
【０１８５】
再生開始と判定した場合、ＭＰＵ１２は、画像管理リストを参照し、再生された映像コンテンツが画像管理リストに記録されているか否か判定する（ステップＳ１２１）。
【０１８６】
再生中の映像コンテンツが画像管理リストに記録されている場合は、再生中の映像コンテンツの再生時間に基づき画像が撮影されたときの再生時間に達しているか否か判定する（ステップＳ１２２）。
【０１８７】
画像が撮影されたときの再生時間に達していると判定すると、その再生時間に撮影された画像を映像コンテンツと同時に再生させる（ステップＳ１２３）。すなわち、その再生時間に撮影された画像の記録データをＨＤＤ２０から読み出し、デコード部２４に加えて映像信号に変換し、再生中の映像コンテンツの映像信号と共に映像出力部３２に加える。映像出力部３２は、ＭＰＵ１２の制御の下、撮影画像が、映像コンテンツの所定位置（たとえば、画面右下）に所定の大きさ（たとえば、全画面の１／９）で重ねて表示されるように合成し、モニタ５０に出力する。この結果、図１４に示すように、画像が撮影されたタイミングで撮影画像が映像コンテンツと共にモニタ５０に表示される。
【０１８８】
画像再生後、ＭＰＵ１２は、画像管理リストに基づき次の撮影画像の有無を判定する（ステップＳ１２４）。そして、次の撮影画像がある場合は、ステップＳ１２２に戻り、次の撮影画像の再生位置に達しているか否か判定する（ステップＳ１２２）。一方、次の撮影画像がない場合は、処理を終了する。
【０１８９】
このように再生処理することにより、画像が撮影されたタイミングで撮影画像が映像コンテンツと共にモニタ５２に表示され、映像コンテンツの娯楽性が更に向上する。
【０１９０】
なお、本例では、画像管理リストに基づいて撮影画像を映像コンテンツと共に再生表示するようにしているが、映像コンテンツに撮影画像の情報を関連付けて記録し（たとえば、ヘッダ部に記録）、その情報に基づいて撮影画像を映像コンテンツと共に再生表示するようにしてもよい。あるいは、撮影画像に映像コンテンツの情報を関連付けて記録し（たとえば、ヘッダ部に記録）、その情報に基づいて撮影画像を映像コンテンツと共に再生表示するようにしてもよい。
【０１９１】
また、本例では、撮影画像を映像コンテンツの所定位置に所定の大きさで表示するようにしているが、撮影画像を表示する位置及び大きさをユーザが任意に変更できるようにすることが好ましい。
【０１９２】
また、上述した実施の形態では、所定の再生位置におけるユーザの様子を動画像として記録しているが、静止画（連射を含む）を撮影して、記録するようにしてもよい。
【０１９３】
さらに、上述した実施の形態では、撮影した画像をＨＤＤ２０に記録しているが、撮影した画像の記録場所は、これに限定されるものではなく、ＤＶＤに記録するようにしてもよい。また、専用のメモリを本体に設け、そのメモリに撮影画像を記録するようにしてもよいし、あるいは、本体に着脱可能なメモリカードを設け、そのメモリカードに撮影画像を記録するようにしてもよい。
【０１９４】
また、上述した実施の形態では、本発明をＤＶＤ／ＨＤＤレコーダに適用した場合を例に説明したが、本発明の適用は、これに限定されるものではなく、たとえば、ＤＶＤプレイヤやビデオテープレコーダ等の映像コンテンツ再生装置にも適用することができる。
【０１９５】
また、上述した実施の形態では、撮像部を本体に内蔵したものとしているが、外部接続されたカメラからの映像を取り込み、記録するようにしてもよい。
【０１９６】
さらに、上述した実施の形態では、（１）再生中の映像コンテンツの音量が大きく変化した時、（２）再生中の映像コンテンツの音の高さが大きく変化した時、（３）再生中の映像コンテンツの明るさが大きく変化した時、（４）再生中の映像コンテンツの色味が大きく変化した時、（５）再生中の映像コンテンツに付加されている記録マークが読み取られた時に撮影が行われるようにしているが、ユーザが撮影を行うパターンを選択できるようにすることが好ましい。すなわち、再生中の映像コンテンツの音量が大きく変化した時のみ撮影するように設定したり、再生中の映像コンテンツの音量が大きく変化した時と再生中の映像コンテンツの音の高さが大きく変化した時のみ撮影するように設定したりすることができるようにすることが好ましい。
【図面の簡単な説明】
【０１９７】
【図１】本発明が適用されたＤＶＤ／ＨＤＤレコーダの電気的構成を示すブロック図
【図２】ＤＶＤ／ＨＤＤレコーダの利用状況の一例を示す図
【図３】再生中の映像コンテンツの音量が大きく変化した時に撮影する場合のＤＶＤ／ＨＤＤレコーダの処理動作を示すフローチャート
【図４】再生中の映像コンテンツの音の高さが大きく変化した時に撮影する場合のＤＶＤ／ＨＤＤレコーダの処理動作を示すフローチャート
【図５】再生中の映像コンテンツの映像の明るさが大きく変化した時に撮影する場合のＤＶＤ／ＨＤＤレコーダ１０の処理動作を示すフローチャート
【図６】再生中の映像コンテンツの映像の色味が大きく変化した時に撮影する場合のＤＶＤ／ＨＤＤレコーダの処理動作を示すフローチャート
【図７】再生中の映像コンテンツの付加されている記録マークが読み取られた時に撮影する場合のＤＶＤ／ＨＤＤレコーダの処理動作を示すフローチャート
【図８】記録マークの付加処理の手順を示すフローチャート
【図９】先読みした映像コンテンツの音量が大きく変化した時に撮影する場合のＤＶＤ／ＨＤＤレコーダの処理動作を示すフローチャート
【図１０】先読みした映像コンテンツの音の高さが大きく変化した時に撮影する場合のＤＶＤ／ＨＤＤレコーダの処理動作を示すフローチャート
【図１１】先読みした映像コンテンツの映像の明るさが大きく変化した時に撮影する場合のＤＶＤ／ＨＤＤレコーダ１０の処理動作を示すフローチャート
【図１２】先読みした映像コンテンツの映像の色味が大きく変化した時に撮影する場合のＤＶＤ／ＨＤＤレコーダの処理動作を示すフローチャート
【図１３】先読みした映像コンテンツの付加されている記録マークが読み取られた時に撮影する場合のＤＶＤ／ＨＤＤレコーダの処理動作を示すフローチャート
【図１４】撮影画像の表示例を示す図
【図１５】画像管理リストの一例を示す図
【図１６】映像コンテンツと共に撮影画像を再生する場合の処理の手順を示すフローチャート
【符号の説明】
【０１９８】
１０…ＤＶＤ／ＨＤＤレコーダ、１２…ＭＰＵ（メインプロセッサユニット）、１４…操作部、１６…リモコンインターフェイス、１８…リモコン、２０…ＨＤＤ、２２…ＤＶＤドライブ、２４…エンコード部、２６…外部入力部、２８…チューナ部、３０…デコード部、３２…映像出力部、３４…音声出力部、３６…音声出力解析部、３８…映像出力解析部、４０…記録マーク解析部、４２…撮像部、４４…ＤＶＤ、５０…モニタ、５２…ユーザ（視聴者）
【図１】
2006074622.tif 000003
【図２】
2006074622.tif 000004
【図３】
2006074622.tif 000005
【図４】
2006074622.tif 000006
【図５】
2006074622.tif 000007
【図６】
2006074622.tif 000008
【図７】
2006074622.tif 000009
【図８】
2006074622.tif 000010
【図９】
2006074622.tif 000011
【図１０】
2006074622.tif 000012
【図１１】
2006074622.tif 000013
【図１２】
2006074622.tif 000014
【図１３】
2006074622.tif 000015
【図１４】
2006074622.tif 000016
【図１５】
2006074622.tif 000017
【図１６】
2006074622.tif 000018